(57)【特許請求の範囲】
【請求項１】
内外部からの電磁波を遮蔽するために窓枠等に取付けられる電磁波シールドロールスクリーンであって、
巻取パイプに巻取り及び巻解き可能に連結されるスクリーンが導電性を有するものであり、
前記巻取パイプのスクリーン導出位置にはスクリーンと接触する上部導電性部材が設けられており、
前記窓枠等の両側部には、前記スクリーンの両側端部と接触し、該スクリーンの昇降方向に沿って配される側部導電性部材が設けられており、
前記スクリーンの下端に取付けられるウエイトバーの下端には窓枠等に接触可能な下部導電性部材が設けられており、
前記スクリーンは、前記上部導電性部材、側部導電性部材及び下部導電性部材に電気的に導通され、
前記下部導電性部材は、ウエイトバーの下端に取り付けられた導電性の磁石であり、該磁石が前記窓枠等に設けられた導電性マグネットプレートに吸着すると前記スクリーンと該導電性マグネットプレートとが電気的に導通することを特徴とする電磁波シールドロールスクリーン。
【請求項２】
前記スクリーンは、少なくとも全閉時に、前記上部導電性部材、側部導電性部材及び下部導電性部材を介してアースされることを特徴とする請求項１記載の電磁波シールドロールスクリーン。
【請求項３】
前記下部導電性部材は、前記ウエイトバーに対して上下方向に遊嵌されていることを特徴とする請求項１または２記載の電磁波シールドロールスクリーン。
【請求項４】
前記上部導電性部材は、スクリーンの昇降を案内する回転可能なガイドローラであることを特徴とする請求項１ないし３のいずれかに記載の電磁波シールドロールスクリーン。
【請求項５】
前記側部導電性部材は、スクリーンの両側端部の昇降を案内するガイドレールに設けた導電性のブラシであることを特徴とする請求項１ないし４のいずれかに記載の電磁波シールドロールスクリーン。
【請求項６】
前記側部導電性部材は、スクリーンの両側端部の昇降を案内するガイドレールに設けた導電性の弾性部材であることを特徴とする請求項１ないし４のいずれかに記載の電磁波シールドロールスクリーン。
【発明の詳細な説明】
【０００１】
【発明の属する技術分野】
本発明は、内外部からの電磁波を遮断するために、窓枠等に取付けられる電磁波シールドロールスクリーンに関するものである。
【０００２】
【従来の技術】
近年、オフィスビルなどでは、ＯＡ機器等に障害をおよぼす外部からの電磁波を遮蔽することが望まれている。また、最近では、社内ネットワークの構築により膨大な通信回線が必要となっており、有線方式の通信は一度配線作業を行ってしまうとレイアウト変更による配線の変更作業が非常に煩わしいものとなるため、ビル内での無線方式の通信が提案されており、例えば、ビル内での無線ＬＡＮやＰＨＳによる通信が行われるようになっている。しかしながら、この通信を行うためには、外部からの電磁波を遮蔽し、同時に内部からの電磁波の漏洩を防止する必要がある。
【０００３】
上記課題を解決するものとして、特開平９−７０３５１号公報に電磁遮蔽材からなるカーテンを、また、特開平９−７２０１８号公報に電磁遮蔽材からなるブラインドをそれぞれ窓開口部の内側に配置し、カーテン又はブラインドと窓開口部の縁との間の隙間に導電性材料を配置して、窓開口部の電磁遮蔽を行うものがある。
【０００４】
【発明が解決しようとする課題】
しかしながら、上記従来のものでは、窓、導電性材料、カーテン又はブラインドは、それぞれ前後方向に距離が開いており、カーテン又はブラインドの側端部と導電性材料とは接触しているわけではないので、カーテン又はブラインドの側端部と導電性材料との間から電磁波が漏洩する可能性がある。
本発明は、このような課題を解決するためのものであり、請求項１ないし６記載の発明は、スクリーンの周囲からの電磁波の漏洩を確実に阻止することができるロールスクリーンを提供することをその目的とする。
【０００５】
【課題を解決するための手段】
前述した目的を達成するために、本発明のうちで請求項１記載の発明は、内外部からの電磁波を遮蔽するために窓枠等に取付けられる電磁波シールドロールスクリーンであって、
巻取パイプに巻取り及び巻解き可能に連結されるスクリーンが導電性を有するものであり、
前記巻取パイプのスクリーン導出位置にはスクリーンと接触する上部導電性部材が設けられており、
前記窓枠等の両側部には、前記スクリーンの両側端部と接触し、該スクリーンの昇降方向に沿って配される側部導電性部材が設けられており、
前記スクリーンの下端に取付けられるウエイトバーの下端には窓枠等に接触可能な下部導電性部材が設けられており、
前記スクリーンは、前記上部導電性部材、側部導電性部材及び下部導電性部材に電気的に導通され、
前記下部導電性部材は、ウエイトバーの下端に取り付けられた導電性の磁石であり、該磁石が前記窓枠等に設けられた導電性マグネットプレートに吸着すると前記スクリーンと該導電性マグネットプレートとが電気的に導通することを特徴としたものである。
【０００６】
スクリーンの上端部はスクリーン導出位置に設けられた上部導電性部材に、スクリーンの両側端部はスクリーンの昇降方向に沿って配される側部導電性部材に、スクリーンの下端部はウエイトバーの下端に設けられた下部導電性部材に、電気的に導通しているため、スクリーンが電磁波を吸収すると、前記上部導電性部材、側部導電性部材及び下部導電性部材を介して電磁遮蔽される。上部導電性部材、側部導電性部材及び下部導電性部材によって、スクリーンと窓枠との間の四方の隙間が遮蔽されるため、電磁波の侵入を阻止することができる。
スクリーンの全閉時、ウエイトバーが最下降位置まで下降し磁石が導電性マグネットプレートに吸着すると、スクリーンと導電性マグネットプレートとが電気的に導通する。また、磁石と導電性マグネットプレートとでスクリーン下方の隙間を遮蔽し、スクリーン下方からの電磁波の侵入を防止する。
【０００７】
本発明のうちで請求項２記載の発明は、請求項１の発明において、前記スクリーンは、少なくとも全閉時に、前記上部導電性部材、側部導電性部材及び下部導電性部材を介してアースされることを特徴としたものである。これにより、スクリーンが電磁波を吸収すると電磁遮蔽される。
【００１１】
本発明のうちで請求項３記載の発明は、請求項１または２記載の発明において、前記下部導電性部材は、前記ウエイトバーに対して上下方向に遊嵌されていることを特徴としたものである。
【００１２】
これにより、ウエイトバーが最下降位置まで下降したときのウエイトバーの位置と窓枠等との間に上下方向の寸法誤差があっても、またはウエイトバーと窓枠等が平行でなくとも、窓枠等の状態に対応して下部導電性部材が上下方向に移動するため、下部導電性部材は窓枠等に確実に接触し、スクリーン下方からの電磁波の侵入を防止する。
【００１３】
本発明のうちで請求項４記載の発明は、請求項１ないし３のいずれかに記載の発明において、前記上部導電性部材は、スクリーンの昇降を案内する回転可能なガイドローラであることを特徴としたものである。
【００１４】
スクリーンの昇降時は、ガイドローラが回転してスクリーンの昇降を案内する。また、ガイドローラでスクリーン上部の隙間を遮蔽し、スクリーン上方からの電磁波の侵入を防止する。
【００１５】
本発明のうちで請求項５記載の発明は、請求項１ないし４のいずれかに記載の発明において、前記側部導電性部材は、スクリーンの両側端部の昇降を案内するガイドレールに設けた導電性のブラシであることを特徴としたものである。
【００１６】
スクリーンの両側端部がガイドレールに設けたブラシに接触するため、スクリーンが電磁波を吸収すると、スクリーンからブラシを介して電磁遮蔽される。また、ブラシでスクリーンの両側端部の隙間を遮蔽し、スクリーンの両側端部からの電磁波の侵入を防止する。
【００１７】
本発明のうちで請求項６記載の発明は、請求項１ないし４のいずれかに記載の発明において、前記側部導電性部材は、スクリーンの両側端部の昇降を案内するガイドレールに設けた導電性の弾性部材であることを特徴としたものである。
【００１８】
スクリーンの両側端部がガイドレールに設けた弾性部材に接触する。また、弾性部材でスクリーンの両側端部の隙間を遮蔽し、スクリーンの両側端部からの電磁波の侵入を防止する。
【００１９】
【発明の実施の形態】
図１ないし図５に本発明の第１の実施の形態を示す。
図において、ロールスクリーン１０が、窓枠１２に取り付けられており、ロールスクリーン１０のヘッドボックス２２が、窓枠１２の上枠の下面１２ａに取付固定されている。ヘッドボックス２２内には、巻取パイプ２４が回転可能に支持されており、巻取パイプ２４には、導電性を有するスクリーン２６が巻取り及び巻降し可能に連結されている。
巻取パイプ２４のスクリーン２６導出位置の室内側には、導電性の材料からなる上部導電性部材であるガイドローラ２８がスクリーン２６の左右方向全長にわたって設けられている。ガイドローラ２８は、ヘッドボックス２２内に回転可能に支持されると共に、スクリーン２６とヘットボックス２２との間にできる隙間を塞いでいる。ガイドローラ２８は常時スクリーン２６に接触するが、スクリーン２６の昇降時、ガイドローラ２８が回転するため、スクリーン２６を損傷させることはない。但し、ガイドローラ２８の代わりに非回転部材を設けることも可能である。さらに、この非回転部材をスクリーン２６方向に付勢する付勢手段を設けることも可能である。
ガイドローラ２８は、リード線を介して窓枠１２、建物の躯体または躯体に配設された電磁遮蔽体に接続され、必要によってさらにアースへと接続される。ヘッドボックス２２を導電性材料で構成した場合には、ガイドローラ２８は、ヘッドボックス２２を介して、窓枠１２、建物の躯体または躯体に配設された電磁遮蔽体に接続され、必要によってさらにアースへと接続される。
【００２０】
窓枠１２の両側面１２ｃには、ヘッドボックス２２の下端部から窓枠１２の下枠の上面１２ｂにかけて、一対のガイドレール１４が取付けられている。ガイドレール１４は、前後に二分割される後部ガイドレール１４ａと前部ガイドレール１４ｂの２部品からなり、後部ガイドレール１４ａと前部ガイドレール１４とによってスクリーン収納部１４ｄが形成されると共にガイドレール開口部１４ｃにおいて外部と連通している。
後部ガイドレール１４ａを窓枠１２の両側面１２ｃに導電性のネジ１３によって取り付けた後にスクリーン２６を降ろし、スクリーン２６を挟むようにして前部ガイドレール１４ｂを後部ガイドレール１４ａに結合することで、スクリーン２６の両側端部をガイドレール開口部１４ｃを通して簡単にガイドレール収容部１４ｄ内に収納できる。スクリーン２６の両側端部には、図２及び図６に示すように、上下方向全長にわたって筒状部２６ａが形成され、この筒状部２６ａ内に抜け止め部材３４が挿入されており、これによりスクリーン２６の両側端部がガイドレール開口部１４ｃから抜け出ることができない構造になっている。
【００２１】
ガイドレール１４のスクリーン収納部１４ｄには、導電性の樹脂材料からなる帯状部材１５がはめ込まれており、この帯状部材１５には、スクリーン２６の両側端部の前後両面に接触する導電性の第１ブラシ１５ａ（側部導電性部材）が一体的に植設されている。第１ブラシ１５ａは、ガイドレール１４のガイドレール開口部１４ｃの上下方向略全長にわたって設けられる。第１ブラシ１５ａの植設された帯状部材１５からはネジ１３またはリード線等を介して窓枠１２、建物の躯体または躯体に配設された電磁遮蔽体に接続され、必要によってさらにアースへと接続される。また、ガイドレール１４の少なくとも後部ガイドレール１４ａを導電性材料で構成した場合には、第１ブラシ１５ａは、後部ガイドレール１４ａを介して窓枠１２、建物の躯体または躯体に配設された電磁遮蔽体に接続され、必要によってさらにアースへと接続される。
以上の構造からスクリーン２６の両側端部は常時第１ブラシ１５ａに接触しつつガイドレール１４に沿って昇降可能になる。
【００２２】
図３及び図５に示すように、スクリーン２６の下端部は、ウエイトバー３６内に設けられたスクリーン止め３８に挿入されており、さらに、スクリーン２６の最下端部は、該スクリーン止め３８と共に導電性のクリップ４０によって挟み付けられている。
ウエイトバー３６の下端には導電性の磁石４２（下部導電性部材）が上下方向に遊嵌されており、磁石４２とクリップ４０とは両端部に設けられたリード線４６によって接続されている。但し、スクリーン止め３８及びウエイトバー３６自体を導電性の材料で構成することも可能であり、この場合はリード線４６を省略することができる。
窓枠１２の下枠の上面１２ｂには、導電性部材からなる導電性マグネットプレート１６が設けられている。
【００２３】
次に、第１の実施の形態の作用について説明する。
ロールスクリーン１０は、手動または電動の適宜昇降手段によって昇降する。例えば巻取パイプ２４の一端に巻き付けた操作チェーン（図示せず）を操作することで、スクリーン２６は、スクリーン２６及びウエイトバー３６の自重によりガイドローラ２８に案内されて巻取パイプ２４から巻解かれ、ガイドレール１４に沿って下降していく。ウエイトバー３６が最下降位置まで下降すると、磁石４２が導電性マグネットプレート１６に吸着する。磁石４２と導電性マグネットプレート１６との間の磁力による吸着力によって両者は確実に接触する。さらに、磁石４２は、ウエイトバー３６に対して上下方向に遊嵌されているため、ウエイトバー３６が最下降位置まで下降したときのウエイトバー３６の位置と導電性マグネットプレート１６との間に上下方向の寸法誤差があっても、またはウエイトバー３６と導電性マグネットプレート１６の間が正確に平行でなくとも、導電性マグネットプレート１６の状態に対応して磁石４２が上下方向に移動するため、磁石４２は導電性マグネットプレート１６に確実に接触し、スクリーン２６下方からの電磁波の侵入を防止する。
【００２４】
このように、スクリーン２６が完全に下降した全閉時において、スクリーン２６の上部はガイドローラ２８と、スクリーン２６の両側端部はガイドレール１４の第１ブラシ１５ａと、スクリーン２６の下端部は磁石４２を介して導電性マグネットプレート１６と電気的に導通しているため、外部との隙間が完全に遮断され、スクリーン２６の上下左右端部からの電磁波の侵入を阻止することができる。ガイドローラ２８、第１ブラシ１５ａ、磁石４２は、窓枠１２、建物の躯体または躯体に配設された電磁遮蔽体に接続され、必要によってさらにアースへと接続される。尚、この際に、リード線や固定のネジ等を用いて窓枠１２、建物の躯体または躯体に配設された電磁遮蔽体に接続する場合には、このリード線等の間隔を、建物内で使用される電波の周波数帯域や必要とされる遮蔽レベルによって決まる許容間隔長さだけ、離間して設けることができる。
【００２５】
図７に第２の実施の形態を示す。
これは、第１の実施の形態における磁石４２に代えて、導電性の第２ブラシ５０（下部導電性部材）をウエイトバー３６に設けたものであり、その他の構造は第１の実施の形態と同様である。
【００２６】
これにより、ウエイトバー３６が最下降位置まで下降したとき、第２ブラシ５０が導電性プレート１６に接触するため、スクリーン２６が第２ブラシ５０及び導電性プレート１６を介して電気的に導通され、スクリーン２６が電磁波を吸収すると、該第２ブラシ５０及び導電性プレート１６を通り電流がスクリーン２６外へと流れる。スクリーン２６下方の隙間が第２ブラシ５０によって遮断されるため、スクリーン２６下方からの電磁波の侵入を防止することができる。第２ブラシ５０は可撓性を有するため、スクリーン２６の多少の変動によって導電性プレート１６との接触が外れることはない。尚、この場合、導電性プレート１６は、磁性を帯びている必要はない。
【００２７】
図８に第３の実施の形態を示す。
これは、第２の実施の形態における第２ブラシ５０に代えて、導電性のプレート５２（下部導電性部材）をウエイトバー３６に設けたものであり、その他の構造は第２の実施の形態と同様である。
【００２８】
これにより、ウエイトバー３６が最下降位置まで下降したとき、プレート５２が導電性プレート１６に完全に接触するため、スクリーン２６がプレート５２及び導電性プレート１６を介して電気的に導通される。スクリーン２６下方の隙間がプレート５２によって遮断されるため、スクリーン２６下方からの電磁波の侵入を防止することができる。
【００２９】
なお、上記第１、第２及び第３の実施の形態においては、磁石４２、第２ブラシ５０及びプレート５２をウエイトバー３６に対して上下方向に遊嵌させた構造にしたが、これに限るものではなく、ウエイトバー３６に固定させてもよい。特に、第２ブラシ５０は可撓性があるため、ウエイトバー３６に固定しても第２ブラシ５０自体がたわむことにより導電性プレート１６に密着することができる。
【００３０】
図９に第４の実施の形態を示す。
これは、第１の実施の形態における２部品からなるガイドレール１４に代えて、１部品からなるガイドレール５４を用いたものであり、その他の構造は第１の実施の形態と同様である。
このガイドレール５４は、窓枠１２の両側面１２ｃの側方から取り付ける場合に適したもので、そのガイドレール開口部５４ｃの間口において互いに対向する面には、導電性の樹脂材料からなる導電性ベース５５が固定されており、導電性ベース５５には、スクリーン２６の両側端部の前後両面に接触する導電性の第３ブラシ５５ａ（側部導電性部材）が植設されている。第３ブラシ５５ａは、ガイドレール５４のガイドレール開口部５４ｃの上下方向略全長にわたって設けられる。また、ガイドレール５４も導電性材料から構成されており、第３ブラシ５５ａは、ガイドレール５４を介して窓枠１２、建物の躯体または躯体に配設された電磁遮蔽体に接続され、必要によってさらにアースへと接続される。
尚、このガイドレール５４は、ガイドレール開口部５４ｃからネジ１３を通し、該ネジ１３を窓枠１２の両側面１２ｃに取り付けることによって、窓枠１２に固定することができる。
このような構成によっても、第１の実施の形態と同様にスクリーン２６側方からの電磁波の侵入を防止することができる。
【００３１】
図１０に第５の実施の形態を示す。
これは、第４の実施の形態におけるガイドレール５４に代えて、ガイドレール６４を用いたものであり、その他の構造は第４の実施の形態と同様である。
このガイドレール６４の内部に上下方向略全長にわたって導電性の断面略Ｃ字形弾性部材（側部導電性部材）６５を設け、断面略Ｃ字形弾性部材６５の先端をスクリーン２６の両側端部の前後両面に弾接させるようにしたものである。ガイドレール６４は、断面略Ｃ字形弾性部材６５と共にガイドレール開口部６４ｃから導電性のネジ１３を通し、該ネジ１３を窓枠１２の両側面１２ｃに取り付けることによって、窓枠１２に固定することができる。断面略Ｃ字形弾性部材６５は、導電性ネジ１３またはリード線を介して窓枠１２、建物の躯体または躯体に配設された電磁遮蔽体に接続され、必要によってさらにアースへと接続される。また、ガイドレール６４を導電性材料で構成した場合には、ガイドレール６４を介して窓枠１２、建物の躯体または躯体に配設された電磁遮蔽体に接続され、必要によってさらにアースへと接続される。
このような構成によっても、第１の実施の形態と同様にスクリーン２６側方からの電磁波の侵入を防止することができる。
【００３２】
図１１に第６の実施の形態を示す。
これは、第４の実施の形態におけるガイドレール５４に代えて、ガイドレール７４を用いたものであり、その他の構造は第４の実施の形態と同様である。
このガイドレール７４のガイドレール開口部７４ｃ付近の表側に形成された溝に導電性の舌状弾性部材（側部導電性部材）７５をはめ込み、舌状弾性部材７５の先端をスクリーン２６の両側端部の前後両面に弾接させるようにしたものである。舌状弾性部材７５は、リード線等を介して窓枠１２、建物の躯体または躯体に配設された電磁遮蔽体に接続され、必要によってさらにアースへと接続される。また、ガイドレール７４を導電性材料で構成した場合には、ガイドレール７４を介して窓枠１２、建物の躯体または躯体に配設された電磁遮蔽体に接続され、必要によってさらにアースへと接続される。
このような構成によっても、第１の実施の形態と同様にスクリーン２６側方からの電磁波の侵入を防止することができる。本実施の形態では、舌状弾性部材７５を表側から簡単にはめ込むことができ、取付作業が簡単である。
【００３３】
【発明の効果】
以上説明したように、本発明のうち請求項１記載の発明によれば、スクリーンの上端部はスクリーン導出位置に設けられた上部導電性部材に、スクリーンの両側端部はスクリーンの昇降方向に沿って配される側部導電性部材に、スクリーンの下端部はウエイトバーの下端に設けられた下部導電性部材に電気的に導通される。また、スクリーンと窓枠との間の四方の隙間も上部導電性部材、側部導電性部材及び下部導電性部材によって遮蔽されるため、外部との隙間が遮蔽されスクリーンの上下左右端部からの電磁波の侵入を阻止することができる。
スクリーンの全閉時、ウエイトバーが最下降位置まで下降し磁石が導電性マグネットプレートに吸着すると、磁石と導電性マグネットプレートとでスクリーン下方の隙間を遮蔽することができ、スクリーン下方からの電磁波の侵入を防止することができる。磁石と導電性マグネットプレートとは磁力によって吸着されるため、簡単にスクリーン下方に隙間ができることはない。
【００３４】
また、本発明のうちで請求項２記載の発明によれば、スクリーンが電磁波を吸収するとスクリーンからアースへと接続されることにより電磁遮蔽される。
【００３６】
また、本発明のうちで請求項３記載の発明によれば、ウエイトバーが最下降位置まで下降したときのウエイトバーの位置と窓枠等との間に上下方向の寸法誤差があっても、またはウエイトバーと窓枠等の間が正確に平行でなくとも、窓枠等の状態に対応して下部導電性部材が上下方向に移動するため、下部導電性部材は窓枠等に確実に接触し、スクリーン下方からの電磁波の侵入を防止することができる。
【００３７】
また、本発明のうちで請求項４記載の発明によれば、スクリーンの昇降時にガイドローラが回転するので、スクリーンの昇降を案内することができ、スクリーンを損傷させることもない。また、ガイドローラでスクリーン上部の隙間を遮蔽し、スクリーン上方からの電磁波の侵入を防止することができる。
【００３８】
また、本発明のうちで請求項５記載の発明によれば、スクリーンの両側端部がガイドレールに設けたブラシに接触するため、スクリーンの両側端部の隙間をブラシによって遮蔽することができ、スクリーンの両側端部からの電磁波の侵入を防止することができる。ブラシは可撓性を有するため、スクリーンの多少の変動によってスクリーンの両側端部との接触が外れることはない。
【００３９】
また、本発明のうちで請求項６記載の発明によれば、スクリーンの両側端部がガイドレールに設けた弾性部材に接触するため、スクリーンの両側端部の隙間を弾性部材によって遮蔽することができ、スクリーンの両側端部からの電磁波の侵入を防止することができる。弾性部材は弾性を有するため、スクリーンの多少の変動によってスクリーンの両側端部との接触が外れることはない。
【図面の簡単な説明】
【図１】第１の実施の形態の側断面図である。
【図２】図１の２−２断面図である。
【図３】図１のＢ部の拡大図である。
【図４】第１の実施の形態の使用状態を示す斜視図である。
【図５】ウエイトバー内の詳細を示す分解斜視図である。
【図６】スクリーンの側端部の詳細を示す斜視図である。
【図７】第２の実施の形態を示す側断面図である。
【図８】第３の実施の形態を示す側断面図である。
【図９】第４の実施の形態を示す図２相当図である。
【図１０】第５の実施の形態を示す図２相当図である。
【図１１】第６の実施の形態を示す図２相当図である。
【符号の説明】
１０  ロールスクリーン
１２  窓枠
１４  ガイドレール
１５ａ  第１ブラシ（側部導電性部材）
１６  導電性マグネットプレート、導電性プレート
２６  スクリーン
２８  ガイドローラ（上部導電性部材）
３６  ウエイトバー
４２  磁石（下部導電性部材）
５０  第２ブラシ（下部導電性部材）
５２  プレート（下部導電性部材）
５４  ガイドレール
５５ａ  第３ブラシ（側部導電性部材）
６４  ガイドレール
６５  断面略Ｃ字形弾性部材（側部導電性部材）
７４  ガイドレール
７５  舌状弾性部材（側部導電性部材）
【図１】
0003989606.tif 000002
【図２】
0003989606.tif 000003
【図３】
0003989606.tif 000004
【図４】
0003989606.tif 000005
【図５】
0003989606.tif 000006
【図６】
0003989606.tif 000007
【図７】
0003989606.tif 000008
【図８】
0003989606.tif 000009
【図９】
0003989606.tif 000010
【図１０】
0003989606.tif 000011
【図１１】
0003989606.tif 000012